(57)【要約】      （修正有）【課題】蓋板の係止構造を有する化粧料等の包装箱において、蓋板の開封を容易にする包装用箱を提供する。【解決手段】背面板４の上部に連設され、先端には差込片５１が折込線１０１〜１１２で折り曲げ可能に連設された蓋板５と、側面板２の上部に連設されたフラップ２１、３１を有し、該差込片をフラップと正面板との間に挿入することにより開口を封止して包装箱を形成する。さらに、前記蓋板と前記フラップには互いに係止する蓋板係止構造を備え、前記蓋板５には開封方向に起立可能にしたつまみ片５３を切り込み形成する。【選択図】図２
0003178445.tif 000002
【実用新案登録請求の範囲】
【請求項１】
背面板の上部に連設され、先端には差込片が折込線で折り曲げ可能に連設された蓋板と、側面板の上部に連設されたフラップを有し、該差込片をフラップと正面板との間に挿入することにより開口を封止する包装箱において、前記蓋板と前記フラップには互いに係止する蓋板係止構造を備え、前記蓋板には開封方向に起立可能に形成されたつまみ片が切り込み形成された包装用箱。
【請求項２】
前記つまみ片は、前記蓋板の一部もしくは、前記蓋板と前記差込片の一部に先端辺と脇辺からなる切り込みを形成することにより蓋板の先端側から起立可能に形成され、該先端辺は前記折込線と直線的に連続するように、あるいは、前記折込線よりも差込片内寄りに位置するように形成され、該脇辺は該先端辺の両端部より蓋板内方向に屈曲して形成されていることを特徴とする請求項１に記載の包装用箱。
【請求項３】
前記つまみ片は、前記先端辺が前記折込線よりも差込片内寄りに位置するよう形成され、差込片を折込線で折り込んだときに、該つまみ片の先端部が蓋板から突出することを特徴とする請求項２に記載の包装用箱。
【請求項４】
前記脇辺の先端側が湾曲して形成されていることを特徴とする請求項２または３に記載の包装用箱。
【請求項５】
前記蓋板係止構造が、前記折込線の両側に切り込み形成された係止切り込みに、前記フラップの一部が差し込まれることにより、前記差込片の端部がフラップに係合されることを特徴とする請求項１ないし４のいずれか１項に記載の包装用箱。
【請求項６】
前記蓋板の差込片が挿入される側の正面板の上部に、表示部が延設されていることを特徴とする請求項１ないし５のいずれか１項に記載の包装用箱。
【考案の詳細な説明】
【技術分野】
【０００１】
本考案は、蓋板の係止構造を有する化粧料等の包装用箱において、かかる係止構造の係止を解除して蓋板の開封を補助する構造を備えた包装用箱に関するものである。
【背景技術】
【０００２】
従来、箱体の包装容器において、蓋板の端部に切り込み線を形成し、蓋板の下のフラップにかかる切り込みを係止することにより、蓋板を確実に封止し、不用意な開封を防止することができる構造が知られている（特許文献１）。
【０００３】
しかしながら、かかる係止状態を解除して開封するには、蓋板に対して開封方向に強い引っ張り力を加える必要があり、そのためには、側板と蓋板のわずかな隙間に指を挿入して差込片を引き上げる必要があった。しかし、内容物が収納されている状態で蓋板との隙間に指を挿入することは容易ではなく、とりわけ、正面板もしくは背面板の上部が表示部として延設されるタイプの包装箱においては、かかる表示部が邪魔になって正面板もしくは背面板と蓋板との間に指を挿入しにくく、開封の妨げとなっていた。
【先行技術文献】
【特許文献】
【０００４】
【特許文献１】特開２０００−３２６９５５
【考案の概要】
【考案が解決しようとする課題】
【０００５】
そこで本考案は、蓋板の係止構造を有する化粧料等の包装用箱において、係止を解除して蓋板の開封を容易にする補助構造を備えた包装用箱を提供することをその課題とするものである。
【課題を解決するための手段】
【０００６】
本考案は、上記課題を解決するものであり、背面板の上部に連設され、先端には差込片が折込線で折り曲げ可能に連設された蓋板と、側面板の上部に連設されたフラップを有し、該差込片をフラップと正面板との間に挿入することにより開口を封止する包装箱において、前記蓋板と前記フラップには互いに係止する蓋板係止構造を備え、前記蓋板には開封方向に起立可能に形成されたつまみ片が切り込み形成された包装用箱である。
【考案の効果】
【０００７】
本考案の包装用箱は、蓋板の開封の際に、蓋板に形成したつまみ片を上方に引き上げることにより、蓋板へ確実に開封方向への引っ張り力を伝えて蓋板の係止を解除することができるため、正面板もしくは背面板と蓋板との隙間に指を挿入する必要がなく、容易に開封作業を行うことができる。
【図面の簡単な説明】
【０００８】
【図１】本考案に係る包装用箱の展開図
【図２】本考案に係る包装用箱の蓋板を封止する前の状態の斜視図
【図３】本考案に係る包装用箱の平面図
【考案を実施するための形態】
【０００９】
以下、本考案の包装用箱を、図面に基づいて具体的に説明する。なお、本考案はこれら実施態様に何ら制約されるものではない。
【００１０】
図１は本考案の包装用箱の展開図、図２は同包装用箱の蓋板を封止する前の状態の斜視図、図３は同包装用箱の平面図である。図中、１は正面板、２は側面板、３は側面板、４は背面板、５は蓋板、６は底板、１１は表示部、２１、２２はフラップ、２３、２４は段部、３１、３２はフラップ、３３、３４は段部、４１は接着部、５１は差込片、５２は係止切り込み、５３はつまみ片、６１は差込片、６２は係止切り込み、１０１ないし１１２は折込線、５１１は上端部、５３１は先端辺、５３２は脇辺、５３３は湾曲部、５３４は先端部をそれぞれ示す。
【００１１】
図１に示すように、本考案にかかる包装用箱は、正面板１に折込線１１０、１０７で折り曲げ可能に連設された側面板２、３、側面板３に折込線１０４で折り曲げ可能に連設された背面板４、背面板４に折込線１０２で折り曲げ可能に連設された蓋板５および正面板１に折込線１０８で折り曲げ可能に連設された底板６を一枚のシート材より一体に打ち抜いて形成される。なお、本実施態様では、正面板１の上部に表示部１１が延設されており、かかる表示部１１と正面板１部分に商品の宣伝広告や商品説明等を表示することができる。
【００１２】
背面板４には、折込線１０３で折り曲げ可能に接着部４１が連設され、側面板２には、その上下にそれぞれ折込線１１１、１１２で折り曲げ可能にフラップ２１、２２が連設され、側面板３には、その上下にそれぞれ折込線１０５、１０６で折り曲げ可能にフラップ３１、３２が連設されている。そして、フラップ２１と３１には、組み立て時に蓋板５の差込片５１が挿入される側の辺部にそれぞれ段部２３、３３が突出して形成されている。さらに、フラップ２２と３２には、組み立て時に底板６の差込片６１が挿入される側の辺部にそれぞれ段部２４、３４が突出して形成されている。
【００１３】
蓋板５には、その先端に差込片５１が折込線１０１で折り曲げ可能に連設されている。図に示すように、折込線１０１は蓋板５の全幅に渡って連続して形成されているのではなく、その両側には係止切り込み５２が、また、その中央にはつまみ片５３が形成されている。係止切り込み５２は、折込線１０１よりも差込片５１の先端寄りである蓋板５の両端部から直線状に切り込み形成され、そこから折込線１０１方向へ互いに接近するように斜めに屈曲して切り込み形成されており、その先端は折込線１０１よりも蓋板５内へと延伸して形成されている。
【００１４】
つまみ片５３は、蓋板５の一部もしくは蓋板５と差込片５１の一部に先端辺５３１と脇辺５３２からなる切り込みを形成することにより、蓋板５の先端側から起立可能に形成されている。かかる先端辺５３１は、折込線１０１と直線的に連続するように、あるいは、折込線１０１よりも差込片５１内寄りに位置するように形成される。本実施態様では、先端辺５３１は折込線１０１よりも差込片５１内寄りに直線状に形成されており、脇辺５３２は、先端辺５３１の両端部から折込線１０１に向けて互いに離間する方向に斜めに屈曲し、折込線１０１を越えて蓋板５内方向へと延伸している。また、本実施態様では、脇辺５３２の先端には湾曲部５３が形成されている。かかる湾曲部５３３を設けることにより、つまみ片５３に強い引っ張り力をかけても切り込みの端部への応力が分散するため、そこから蓋板５が破損するおそれがなく、好ましい。なお、本実施態様では、つまみ片５３は略台形に形成されているが、形状はこれに限らず、正方形、矩形、半円形、半楕円形、三角形などに形成しても良い。
【００１５】
底板６には、その先端に差込片６１が折込線１０９で折り曲げ可能に形成されている。図に示すように、折込線１０９は底板６の全幅に渡って連続して形成されているのではなく、その両側には係止切り込み６２が形成されている。係止切り込み６２は、底板６の両端部から直線状に切り込み形成され、さらに、底板６内方向に互いに接近するよう斜めに屈曲して切り込み形成されている。また、折込線１０９は、係止切り込み６２の端部からゆるやかなに湾曲した後、直線に移行するよう形成されている。
【００１６】
以下に、本考案にかかる包装用箱の組み立て方法について説明する。まず、図１の状態で、正面板１、側面板２、３、背面板４の各板を連接する折込線１０４、１０７、１１０を山折り方向に折り込んでいき、接着部４１を側面板２の端部裏側に接着する。そして、折込線１１２、１０６においてフラップ２２、３２を下部開口方向へ折り込んで、その外側から底板６により開口を封止する。底板６は、差込片６１をフラップ２２、３２と背面板４との隙間に挿入することにより固定されるが、このとき、差込片６１の係止切り込み６２にフラップ２２、３２の段部２４、３４が差し込まれる形となり、その結果、係止切り込み６２において差込片６１の端部がフラップ２２、３２に係合し、底板６を係止させることができる。なお、折込線１０９はその両端部がゆるやかに底板６の内側方向へ湾曲しているため、差込片６１を折込線１０９で折り込んだときに、差込片６１の両端部が折込線１０９の湾曲部の延長方向へ緩やかに曲がることになる。これにより、差込片６１の端部は段部２４、３４に対して深く係合するため、底板６の係止をより確実にすることができる。
【００１７】
次に、折込線１１１、１０５においてフラップ２１、３１を上部開口方向に折り込んで、その外側から蓋板５により開口を封止する。蓋板５は、差込片５１をフラップ２１、３１と正面板１との隙間に挿入することにより固定されるが、このとき、差込片５１の係止切り込み５２にフラップ２１、３１の段部２３、３３が差し込まれる形となり、その結果、係止切り込み５２において差込片５１の端部がフラップ２１、３１に係合し、蓋板５を係止させることができる。
【００１８】
図３は、本考案にかかる包装用箱の蓋板５を封止した状態を示す。図に示すように、開口を封止した状態において段部２３、３３が係止切り込み５２に差し込まれているため、差込片５１の両上端部５１１が段部２３、３３の裏側に当接してフラップ２１、３１に係止する形となる。また、本実施態様では、つまみ片５３の先端辺５３１が折込線１０１よりも差込片５１内寄りに形成されているため、差込片５１を開口部内に折り込んだ状態では、折込線１０１よりも差込片５１内寄りの先端部５３４が蓋板５の外側に突出した形となっている。このように、つまみ片５３が折込線１０１より外側に突出することにより、先端辺５３１に指を掛けやすくなり、開封する作業がより容易になる。
【００１９】
蓋板５の開封作業は以下の通りである。まず、つまみ片５３の先端辺５３１に指を掛けて斜め上方（蓋板５の開封方向）に引き起こす。つまみ片５３は、蓋板５から脇辺５３２にかけて切り込まれているため、先端辺５３１に斜め上方の引っ張り力を加えると、先端辺５３１側から捲れるようにして起立する。このように起立したつまみ片５３は指で容易に保持できるため、この状態でさらに開封方向に引っ張り力を加える。その結果、係止切り込み５２におけるフラップ２１、３１との係合部分にも応力が加わるが、差込片５１の両端部は係止切り込み５２により撓みやすくなっているため、この部分に応力が集中することで差込片５１の両端部が外側方向に曲がって段部２３、３３との係合が解除される。以上の通り、つまみ片５３を指で保持して上方に引き上げるだけで蓋板５を簡単に開封することができる。
【００２０】
本考案にかかる蓋板開封補助構造は適用される包装用箱の材質を制約するものではないが、少なくともつまみ片５３において可撓性を有する素材であることが好ましく、よって、可撓性を有する合成樹脂、紙、あるいは樹脂で表面処理を施した紙等のシート状材料から、一体的に打ち抜き形成したものを好適に利用することができる。  
【符号の説明】
【００２１】
１……正面板
２……側面板
３……側面板
４……背面板
５……蓋板
６……底板
１１……表示部
２１……フラップ
２２……フラップ
２３……段部
２４……段部
３１……フラップ
３２……フラップ
３３……段部
３４……段部
４１……接着部
５１……差込片
５２……係止切り込み
５３……つまみ片
６１……差込片
６２……係止切り込み
１０１〜１１２……折込線
５１１……上端部
５３１……先端辺
５３２……脇辺
５３３……湾曲部
５３４……先端部
【図１】
0003178445.tif 000003
【図２】
0003178445.tif 000004
【図３】
0003178445.tif 000005